(57)【特許請求の範囲】
【請求項１】
所定楽曲の少なくとも複数番の歌詞を表示する歌詞カードであって、
一方面に、前記楽曲に関する固定情報が形成される固定情報領域、及び当該楽曲の一の番の歌詞形成領域に複数番の歌詞を形成させる可変表示領域を備え、当該可変表示領域に、上記各番のそれぞれの歌詞が合成された合成歌詞が形成される歌詞表示基材と、
前記歌詞表示基材の少なくとも前記可変表示領域上に設けられ、当該可変表示領域上に形成された前記各番それぞれの合成歌詞を、角度によって各番ずつの歌詞として視認させる多面表示レンズと、
を有することを特徴とする歌詞カード。
【請求項２】
請求項１記載の歌詞カードであって、前記歌詞表示基材の他方面に、少なくとも前記可変表示領域を設けて所定楽曲の複数番の歌詞をそれぞれ合成させた合成歌詞を形成し、当該他方面の可変表示領域上に、当該合成歌詞を角度によって各番ずつの歌詞として視認させる多面表示レンズが設けられることを特徴とする歌詞カード。
【請求項３】
請求項１記載の歌詞カードであって、前記歌詞表示基材に所定数の折り目安を設定し、当該折り目安で分割された領域ごとに前記多面表示レンズを分割してそれぞれ設けることを特徴とする歌詞カード。
【発明の詳細な説明】
【技術分野】
【０００１】
本発明は、所定の楽曲の歌詞が表示される歌詞カードに関する。
【背景技術】
【０００２】
例えば、発表された新曲を覚えたい場合、今まで知らなかった楽曲を覚えたい場合、また歌詞の記憶が曖昧な状態や全く知らない状態で歌唱する場合等に歌詞カードが利用される。一般に、歌詞カードは、音楽媒体のジャケット内に含まれていたり、有償、無償に拘わらず単体で個別に配られることなどで取得可能となっている。このような歌詞カードは、文字の大きさなどの視認性、コンパクト性が望まれる。
【０００３】
歌詞カードに表示される歌詞は、通常二番以上のものであり、単葉の用紙基材に全歌詞を印刷したものが殆どであると共に、これに付加価値を施したものが下記の特許文献等に提案されている。当該特許文献は、カード媒体について開示され、当該カード媒体は、歌詞カード本体に、録音された楽曲等に関連するファイル部材に添付するための剥離可能な第１表示部が形成され、また録音された楽曲に関連する剥離可能な第２表示部と、前記カード本体に形成されると共に、録音された楽曲に関連があり、前記ファイル部材に取り付けるための第３表示部とが形成されたものである。
【０００４】
【特許文献１】再表００−６５５５７号公報
【発明の開示】
【発明が解決しようとする課題】
【０００５】
しかしながら、上記特許文献に提案されている歌詞カードを含めて、一般の歌詞カードは単葉の用紙基材に全歌詞を表示させたものであり、このような歌詞カードにおいて、歌詞の視認性を向上させるために文字を大とすると用紙基材が長大となってコンパクト性に欠けるという問題がある。一方、歌詞を表示させる用紙基材をコンパクト化させた場合には、歌詞を表示させる文字を小さくしなければならず、視認性に欠けるという問題がある。
【０００６】
そこで、本発明は上記課題に鑑みなされたもので、歌詞表示の視認性を向上させ、コンパクト性を向上させる歌詞カードを提供することを目的とする。
【課題を解決するための手段】
【０００７】
上記課題を解決するために、請求項１の発明では、所定楽曲の少なくとも複数番の歌詞を表示する歌詞カードであって、一方面に、前記楽曲に関する固定情報が形成される固定情報領域、及び当該楽曲の一の番の歌詞形成領域に複数番の歌詞を形成させる可変表示領域を備え、当該可変表示領域に、上記各番のそれぞれの歌詞が合成された合成歌詞が形成される歌詞表示基材と、前記歌詞表示基材の少なくとも前記可変表示領域上に設けられ、当該可変表示領域上に形成された前記各番それぞれの合成歌詞を、角度によって各番ずつの歌詞として視認させる多面表示レンズと、を有する構成とする。
【０００８】
請求項２、３の発明では、「前記歌詞表示基材の他方面に、少なくとも前記可変表示領域を設けて所定楽曲の複数番の歌詞をそれぞれ合成させた合成歌詞を形成し、当該他方面の可変表示領域上に、当該合成歌詞を角度によって各番ずつの歌詞として視認させる多面表示レンズが設けられる」構成であり、
「前記歌詞表示基材に所定数の折り目安を設定し、当該折り目安で分割された領域ごとに前記多面表示レンズを分割してそれぞれ設ける」構成である。
【発明の効果】
【０００９】
請求項1の本発明によれば、歌詞表示基材の一方面に、楽曲に関する固定情報が形成される固定情報領域、及び当該楽曲の一の番の歌詞形成領域に複数番の歌詞を形成させる可変表示領域を備え、当該可変表示領域に、上記各番のそれぞれの歌詞が合成された合成歌詞が形成され、少なくとも可変表示領域上に多面表示レンズが設けられて当該可変表示領域上に形成された当該楽曲の各番それぞれの合成歌詞を、角度によって各番ずつの歌詞として視認させる構成とすることにより、従前の全歌詞を表示する歌詞カードの大きさで歌詞表示させる場合にはその分文字を大とすることが可能となって歌詞表示の視認性を向上させることができ、従前の全歌詞を表示する歌詞カードの文字大で歌詞表示させる場合には一の番の歌詞表示領域の大きさで歌詞表示させることが可能となってコンパクト性を向上させることができるものである。
【００１０】
請求項２の発明によれば、歌詞表示基材の一方面だけでなく、両面に前記複数番の歌詞及び多面表示レンズを設けることにより、一方面だけでは全歌詞を表示できない場合に全歌詞を搭載させることができ、一方、両面で異なる楽曲のそれぞれの歌詞を複数番表示させることもできるものである。
【００１１】
請求項３の発明によれば、歌詞表示基材の少なくとも可変表示領域上の所定数の折り目安に相当させて分割させた多面表示レンズをそれぞれ設けることにより、多面表示レンズが設けられても折り曲げが可能となって、コンパクト性をより向上させることができるものである。
【発明を実施するための最良の形態】
【００１２】
以下、本発明の最良の実施形態を図により説明する。本実施形態では、ある楽曲の全歌詞を全３番とし、多面表示レンズとしてのレンチキュラーレンズで角度によって３面を表示させる場合を一例として示すが、当該レンチキュラーレンズで２面から６面の表示による全６番の歌詞若しくはそれ以上の番を有する歌詞の多面表示であっても適用することができるものである。
【００１３】
図１に、本発明に係る歌詞カードの第１実施形態の構成図を示す。図１（Ａ）〜（Ｃ）において、歌詞カード１１は、例えばハガキ大の歌詞表示基材１２上に多面表示レンズであるレンチキュラーレンズ１３が設けられたものであり、当該歌詞表示基材１２上には一の番の歌詞表示領域に所定楽曲の全３番のそれぞれの歌詞が合成された合成歌詞が形成されるものである。すなわち、ある視点１４より角度を異ならせて当該歌詞表示基材１２上に形成された合成歌詞を見たときに角度によって各番ずつの歌詞として視認させるものである。
【００１４】
具体例として、上記歌詞表示基材１２には、固定情報領域１５及び可変表示領域１６が適宜な領域配分で形成され、当該固定情報領域１５上に、対象の楽曲に関連する、曲名、リクエスト番号、作曲者、作詞者、歌手等の固定情報が適宜形成される。また、上記可変表示領域１６には、一の番の歌詞表示領域に、一番〜三番の歌詞「一番、あいう・・・」１６Ａ、「二番、いろは・・・」１６Ｂ、「三番、アイウ・・・」１６Ｃの合成歌詞が形成される。
【００１５】
そして、図１（Ａ）に示すように、歌詞カード１１を視点１４より角度ａで見たときには固定情報領域１５の固定情報、及び可変表示領域１６の一番の歌詞「一番、あいう・・・」１６Ａが視認される。また、歌詞カード１１を視点１４より角度ｂで見たときには固定情報領域１５の固定情報、及び可変表示領域１６の二番の歌詞「二番、いろは・・・」１６Ｂが視認される。さらに、歌詞カード１１を視点１４より角度ｃで見たときには固定情報領域１５の固定情報、及び可変表示領域１６の三番の歌詞「三番、アイウ・・・」１６Ｃが視認されるものである。
【００１６】
ここで、図２に、図１の歌詞カードの詳細な説明図を示す。図２（Ａ）に示すように、歌詞カード１１は、歌詞表示基材１２とレンチキュラーレンズ１３とで構成され、歌詞表示基材１２は上述のように固定情報領域１５及び可変表示領域１６に区分けされている（文字の印刷形態は図２（Ｃ）で説明する）。当該歌詞表示基材１２は、例えば紙類、フィルム、不織布、樹脂板、金属簿板等の印刷が可能な部材が適用可能である。
【００１７】
また、レンチキュラーレンズ１３は、当該歌詞カード１１の長手方向を縦方向としたときに横方向に延長したかまぼこ型レンズ（当該縦方向のみ拡大）を、縦方向に所定数配列させたもので、例えば樹脂により形成される。上記一のかまぼこ型レンズを線状帯としたときに、当該かまぼこ型レンズの大きさ、配列ピッチ、配列数は、表示する歌詞の文字の大きさ、カードの大きさに応じて適宜設定され、また、拡大率においても表示面数（ここでは３面）に応じて、レンズ厚（文字表面からの距離）、レンズ曲率が適宜設定されるものである。ここでは、３面表示として拡大率を３倍としている（例えば６面表示では６倍とされる）。
【００１８】
そして、図２（Ｂ）に示すように、歌詞表示基材１２とレンズキュラーレンズ１３を接着剤により接着させることにより一枚の歌詞カード１１となる。なお、本実施形態では、レンズキュラーレンズ１３を歌詞表示基材１２の全面に設けた場合を示しているが、少なくとも可変表示領域１６上に設ければ足りる。
【００１９】
ここで、図２（Ｃ）は図２（Ｂ）のＡ−Ａ断面を、理解しやすいように誇張して概念的に示したもので、歌詞表示基材１２を表示基材１２Ａ及び歌詞形成層１２Ｂで構成するものとして示す。表示基材１２Ａ上の歌詞形成層１２Ｂであって、可変表示領域１６に形成される文字情報は、３面表示として一線状帯のかまぼこ型レンズの断面山型の幅に、３種類の情報（歌詞一番から三番までの対応文字の部分構成文字情報）が配置されるもので（例えば、部分構成文字情報１６Ｃ−１，１６Ｂ−２，１６Ａ−３）、順次各線状帯に応じたそれぞれの対応文字の部分構成文字情報が配置される。なお、固定情報領域１５に形成される固定情報（歌詞形成層１２Ｂ）は、３面表示でも常に同一の文字が表示されるものであり、３つの同じ対応文字のそれぞれ対応する同じ部分構成文字情報が順次配列されるものである（後述する）。
【００２０】
続いて、図３及び図４に、図１の歌詞カードにおける合成歌詞の形成説明図を示す。なお、図３及び図４における合成歌詞形成手法を、ピックアップ法と称し、また、縦方向の一文字を、例えば４８ライン分に分けて各一ライン分を上記部分構成文字情報とする。
【００２１】
図３（Ａ）は、上記楽曲の一番歌詞を示したもので、当該一番歌詞元データ１６Ａが４８ラインに分けられて、それぞれを部分構成文字情報１６Ａ−１〜１６Ａ−４８とされる。これら部分構成文字情報１６Ａ−１〜１６Ａ−４８のうち、第３ライン目から２ライン置きに部分構成文字情報１６Ａ−３，１６Ａ−６，１６Ａ−９，１６Ａ−１２，・・・がピックアップされる。この部分構成文字情報１６Ａ−３，１６Ａ−６，１６Ａ−９，１６Ａ−１２，・・・が並べられると、一文字分の縦方向の長さが元データの１／３となる。すなわち、これが拡大率３倍のレンチキュラーレンズ１３で縦方向のみが拡大されると元データの縦方向の長さと同様となるものである。
【００２２】
また、図３（Ｂ）は、上記楽曲の二番歌詞を示したもので、当該二番歌詞元データ１６Ｂが４８ラインに分けられて、それぞれを部分構成文字情報１６Ｂ−１〜１６Ｂ−４８とされる。これら部分構成文字情報１６Ｂ−１〜１６Ｂ−４８のうち、第２ライン目から２ライン置きに部分構成文字情報１６Ｂ−２，１６Ｂ−５，１６Ｂ−８，１６Ｂ−１１，・・・がピックアップされる。この部分構成文字情報１６Ｂ−２，１６Ｂ−５，１６Ｂ−８，１６Ｂ−１１，・・・が並べられると、一文字分の縦方向の長さが元データの１／３となる。
【００２３】
さらに、図３（Ｃ）は、上記楽曲の三番歌詞を示したもので、当該三番歌詞元データ１６Ｃが４８ラインに分けられて、それぞれを部分構成文字情報１６Ｃ−１〜１６Ｃ−４８とされる。これら部分構成文字情報１６Ｃ−１〜１６Ｃ−４８のうち、第１ライン目から２ライン置きに部分構成文字情報１６Ｃ−１，１６Ｃ−４，１６Ｃ−７，１６Ｃ−１０，・・・がピックアップされる。この部分構成文字情報１６Ｃ−１，１６Ｃ−４，１６Ｃ−７，１６Ｃ−１０，・・・が並べられると、一文字分の縦方向の長さが元データの１／３となる。
【００２４】
そこで、図４に示すように、一番歌詞の部分構成文字情報１６Ａ−３，１６Ａ−６，１６Ａ−９，１６Ａ−１２，・・・と、二番歌詞の部分構成文字情報１６Ｂ−２，１６Ｂ−５，１６Ｂ−８，１６Ｂ−１１，・・・と、三番歌詞の部分構成文字情報１６Ｃ−１，１６Ｃ−４，１６Ｃ−７，１６Ｃ−１０，・・・とを、三番歌詞１６Ｃ、二番歌詞１６Ｂ、一番歌詞１６Ａの順に１６Ｃ−１，１６Ｂ−２，１６Ａ−３，１６Ｃ−４，１６Ｂ−５，１６Ａ−６・・・の各部分構成文字情報を配列することで一番〜三番までの全歌詞が４８ラインとして合成されるものである。
【００２５】
上記のように合成された合成歌詞が歌詞表示基材１２の可変表示領域１６上に印刷されて形成されるものである。なお、固定情報領域１５上に形成される固定情報を図３（Ａ）を用いて説明すると、ピックアップした部分構成文字情報１６Ａ−３，１６Ａ−６，１６Ａ−９，１６Ａ−１２，・・・を、それぞれ３つずつ縦方向に順次配列（１６Ａ−３，１６Ａ−３，１６Ａ−３，１６Ａ−６，１６Ａ−６，１６Ａ−６，・・・）して４８ラインとするものである。
【００２６】
そこで、図５に、図１の歌詞カードの表示状態の概略説明図を示す。図５（Ａ）は一番歌詞を視認するもので、視点１４Ａより見た場合、レンチキュラーレンズ１３によって可変表示領域１６上の部分構成文字情報１６Ａ−３，１６Ａ−６，１６Ａ−９，１６Ａ−１２，・・・が縦方向に３倍拡大されて、図１（Ａ）のように視認される。また、図５（Ｂ）は二番歌詞を視認するもので、視点１４Ｂより見た場合、レンチキュラーレンズ１３によって可変表示領域１６上の部分構成文字情報１６Ｂ−２，１６Ｂ−５，１６Ｂ−８，１６Ｂ−１１，・・・が縦方向に３倍拡大されて、図１（Ｂ）のように視認される。
【００２７】
さらに、図５（Ｃ）は三番歌詞を視認するもので、視点１４Ｃより見た場合、レンチキュラーレンズ１３によって可変表示領域１６上の部分構成文字情報１６Ｃ−１，１６Ｃ−４，１６Ｃ−７，１６Ｃ−１０，・・・が縦方向に３倍拡大されて、図１（Ｃ）のように視認されるものである。なお、固定情報領域１５上の固定情報は、上述のように合成されていることから、各視点１４Ａ〜１４Ｃによっても常に同一の情報が視認されるものである。
【００２８】
次に、図６〜図８に、図１の歌詞カードにおける合成歌詞の他の形成説明図を示す。なお、図６及び図７における合成歌詞形成手法を、圧縮法と称し、また、上述と同様に縦方向の一文字を、例えば４８ライン分に分けて各一ライン分を上記部分構成文字情報とする。
【００２９】
図６（Ａ）は、上記楽曲の一番歌詞を示したもので、当該一番歌詞元データ１６Ａが４８ラインに分けられて、それぞれを部分構成文字情報１６Ａ−１〜１６Ａ−４８とされる。これら部分構成文字情報１６Ａ−１〜１６Ａ−４８のうちの文字内部情報「あいう・・・」のみを縦方向に１／３に圧縮する。圧縮された文字内部情報は、一文字分の縦方向の長さが元データの１／３となる。これが拡大率３倍のレンチキュラーレンズ１３で縦方向のみが拡大されると元データの縦方向の長さと同様となる。また、圧縮された文字内部情報は、第１ライン（１６Ａ−１）〜第１６ライン（１６Ａ−１６）に配置されることとなり、これらを部分構成文字情報１６Ａ−１〜１６Ａ−１６として採用する。
【００３０】
同様に、図６（Ｂ）は、上記楽曲の二番歌詞を示したもので、当該二番歌詞元データ１６Ｂが４８ラインに分けられて、それぞれを部分構成文字情報１６Ｂ−１〜１６Ｂ−４８とされる。これら部分構成文字情報１６Ｂ−１〜１６Ｂ−４８のうちの文字内部情報「いろは・・・」のみを縦方向に１／３に圧縮する。圧縮された文字内部情報は、一文字分の縦方向の長さが元データの１／３となる。これが拡大率３倍のレンチキュラーレンズ１３で縦方向のみが拡大されると元データの縦方向の長さと同様となる。また、圧縮された文字内部情報は、第１ライン（１６Ｂ−１）〜第１６ライン（１６Ｂ−１６）に配置されることとなり、これらを部分構成文字情報１６Ｂ−１〜１６Ｂ−１６として採用する。
【００３１】
同様に、図６（Ｂ）は、上記楽曲の三番歌詞を示したもので、当該三番歌詞元データ１６Ｃが４８ラインに分けられて、それぞれを部分構成文字情報１６Ｃ−１〜１６Ｃ−４８とされる。これら部分構成文字情報１６Ｃ−１〜１６Ｃ−４８のうちの文字内部情報「アイウ・・・」のみを縦方向に１／３に圧縮する。圧縮された文字内部情報は、一文字分の縦方向の長さが元データの１／３となる。これが拡大率３倍のレンチキュラーレンズ１３で縦方向のみが拡大されると元データの縦方向の長さと同様となる。また、圧縮された文字内部情報は、第１ライン（１６Ｃ−１）〜第１６ライン（１６Ｃ−１６）に配置されることとなり、これらを部分構成文字情報１６Ｃ−１〜１６Ｃ−１６として採用する。
【００３２】
そこで、図７に示すように、一番歌詞の部分構成文字情報１６Ａ−１〜１６Ａ−１６と、二番歌詞の部分構成文字情報１６Ｂ−１〜１６Ｂ−１６と、三番歌詞の部分構成文字情報１６Ｃ−１〜１６Ｃ−１６とを、三番歌詞１６Ｃ、二番歌詞１６Ｂ、一番歌詞１６Ａの順に１６Ｃ−１，１６Ｂ−１，１６Ａ−１，１６Ｃ−２，１６Ｂ−２，１６Ａ−２・・・の各部分構成文字情報を配列することで一番〜三番までの全歌詞が４８ラインとして合成されるものである。
【００３３】
上記のように合成された合成歌詞が、図８に示すように、歌詞表示基材１２の可変表示領域１６上であって、一の線状帯の幅内に一番歌詞から三番歌詞の合成歌詞１６Ｃ−１，１６Ｂ−１，１６Ａ−１，１６Ｃ−２，１６Ｂ−２，１６Ａ−２・・・として印刷（この場合、上記１ラインの幅の最低限１／３の解像度による印刷）されるものである。なお、固定情報領域１５上の固定情報についても同様の圧縮法（若しくは上述のピックアップ法でもよい）で形成されて４８ラインとされる。そして、上述のような合成歌詞が、図５（Ａ）〜図５（Ｃ）と同様な視点１４Ａ〜１４Ｃによって、縦方向に３倍拡大されて図１（Ａ）〜図１（Ｃ）のようにそれぞれの番の歌詞が視認されるものである。
【００３４】
このように、従前の全歌詞を表示する歌詞カードの大きさで歌詞表示させる場合にはその分文字を大とすることが可能となって歌詞表示の視認性を向上させることができ、従前の全歌詞を表示する歌詞カードの文字大で歌詞表示させる場合には一の番の歌詞表示領域の大きさで歌詞表示させることが可能となってコンパクト性を向上させることができるものである。また、上記のように合成歌詞を形成するにあたり、圧縮法の方がピックアップ法より視認に対する表示品質を向上させることができるものである。
【００３５】
次に、図９に、本発明に係る歌詞カードの第２実施形態の構成図を示す。図９に示す歌詞カード２１は、図２（Ｂ）のＡ−Ａ断面を示したもので、歌詞表示基材１２（表示基材１２Ａ）の一方面に上記同様の固定情報領域１５及び可変表示領域１６を形成して当該可変表示領域１６に合成歌詞１２Ｂを形成させると共に、他方面においても固定情報領域１５（特に必要ではない）及び可変表示領域１６を形成して当該可変表示領域１６に合成歌詞１２Ｃを形成させることとし、それぞれの面にレンチキュラーレンズ１３Ａ，１３Ｂを設けたものである。
【００３６】
例えば、ある楽曲の全歌詞の番数が多く、一面では多面表示できない場合に両面を用いて全歌詞を一枚の歌詞カード２１に納めることができ、一方で、一方面と他方面とで、同じ歌手又は異なる歌手におけるそれぞれの楽曲の歌詞を多面表示させることができるものである。
【００３７】
次に、図１０に、本発明に係る歌詞カードの第３実施形態の構成図を示す。図１０（Ａ）において、歌詞カード３１は、歌詞表示基材１２における表示基材１２Ａ上であって、可変表示領域１６の所定部分に、横方向（レンチキュラーレンズ１３の線状帯の延長方向）に所定数（ここでは１本）の折り目安線３２を設定し、歌詞形成層１２Ｂ上の当該折り目安線３２を避けるような位置に合成歌詞（形成手法は、上記ピックアップ法又は圧縮法）が形成される。そして、歌詞表示基材１２上であって、上記折り目安線３２により分割された領域のそれぞれに分割されたレンチキュラーレンズ１３Ｃ，１３Ｄを設けたものである。
【００３８】
このような歌詞カード３１は、図１０（Ｂ）に示すように、レンチキュラーレンズが設けられても折り目安線３２で折り曲げることが可能となって、コンパクト性をより向上させることができるものである。なお、図１０では一の折り目安線３２を設定した場合を示したが、２以上の折り目安線３２を設定することも可能であり、この場合には巻き込み折りにより畳ませることができ、さらなるコンパクト性を向上させることができるものである。
【産業上の利用可能性】
【００３９】
本発明の歌詞カードは、所定楽曲の有償、無償を問わない付属物、カラオケ施設で提供される有償、無償を問わない印刷加工物等の楽曲関連での利用に適する。
【図面の簡単な説明】
【００４０】
【図１】本発明に係る歌詞カードの第１実施形態の構成図である。
【図２】図１の歌詞カードの詳細な説明図である。
【図３】図１の歌詞カードにおける合成歌詞の形成説明図（１）である。
【図４】図１の歌詞カードにおける合成歌詞の形成説明図（２）である。
【図５】図１の歌詞カードの表示状態の概略説明図である。
【図６】図１の歌詞カードにおける合成歌詞の他の形成説明図（１）である。
【図７】図１の歌詞カードにおける合成歌詞の他の形成説明図（２）である。
【図８】図１の歌詞カードにおける合成歌詞の他の形成説明図（３）である。
【図９】本発明に係る歌詞カードの第２実施形態の構成図である。
【図１０】本発明に係る歌詞カードの第３実施形態の構成図である。
【符号の説明】
【００４１】
１１，２１，３１    歌詞カード
１２                歌詞表示基材
１３                レンチキュラーレンズ
１５                固定情報領域
１６                可変表示領域
３２                折り目安線
【図１】
0004641878.tif 000002
【図２】
0004641878.tif 000003
【図３】
0004641878.tif 000004
【図４】
0004641878.tif 000005
【図５】
0004641878.tif 000006
【図６】
0004641878.tif 000007
【図７】
0004641878.tif 000008
【図８】
0004641878.tif 000009
【図９】
0004641878.tif 000010
【図１０】
0004641878.tif 000011